(57)【要約】  像面位相差を検出する撮像素子において画素の形成を簡略化する。  撮像素子は、オンチップレンズ、複数の光電変換部および複数の導波路を具備する。オンチップレンズは、入射光を画素に集光し、入射光の入射角度に応じて画素の中心から偏移して画素毎に配置される。複数の光電変換部は、画素に配置されて、入射光に応じて光電変換を行う。複数の導波路は、画素における複数の光電変換部毎に配置されて、集光された入射光を導波して複数の光電変換部にそれぞれ入射させるとともに、オンチップレンズの偏移に基づいて互いに非相似の形状に構成される。
2019039177.tif 000002
【特許請求の範囲】
【請求項１】
入射光を画素に集光し、前記入射光の入射角度に応じて前記画素の中心から偏移して前記画素毎に配置されるオンチップレンズと、
前記画素に配置されて、入射光に応じて光電変換を行う複数の光電変換部と、
前記画素における前記複数の光電変換部毎に配置されて、前記集光された入射光を導波して前記複数の光電変換部にそれぞれ入射させるとともに、前記オンチップレンズの偏移に基づいて互いに非相似の形状に構成される複数の導波路と
を具備する撮像素子。
【請求項２】
前記複数の導波路は、光路となるコアと当該コアを内包するクラッドによりそれぞれ構成され、前記導波路における前記入射光の入り口から出口までの前記クラッドの内面の傾斜が互いに異なることにより非相似の形状に構成される請求項１記載の撮像素子。
【請求項３】
前記複数の導波路は、前記オンチップレンズの偏移に応じて前記クラッドの内面の傾斜を変更する請求項２記載の撮像素子。
【請求項４】
前記複数の導波路は、前記クラッドが異なる傾斜により形成された複数の内面により構成される請求項２記載の撮像素子。
【請求項５】
前記画素に配置されて、前記複数の光電変換部における光電変換に基づく画像信号を生成する画素回路と、
前記光電変換部が形成される半導体基板の面のうち前記集光された入射光が入射される面とは異なる面に配置されて前記画像信号を伝達する配線層と
をさらに具備する請求項１記載の撮像素子。
【請求項６】
前記画素は、それぞれ２つの光電変換部および導波路を具備する請求項１記載の撮像素子。
【請求項７】
前記画素が２次元格子状に配列され、
前記オンチップレンズは、前記配列された画素毎の前記入射光の入射角度に応じて前記画素の中心から偏移して配置される
請求項１記載の撮像素子。
【請求項８】
被写体からの光を自身の撮像素子に入射させるレンズ毎の前記入射角度に応じて前記画素の中心からそれぞれ偏移して配置された複数の前記オンチップレンズと、
前記複数のオンチップレンズにおけるそれぞれの偏移に基づいて互いに非相似の形状に構成される前記複数の導波路が配置される複数の前記画素と
を具備する請求項１記載の撮像素子。
【請求項９】
入射光を画素に集光し、前記入射光の入射角度に応じて前記画素の中心から偏移して前記画素毎に配置されるオンチップレンズと、
前記画素に配置されて、入射光に応じて光電変換を行う複数の光電変換部と、
前記画素における前記複数の光電変換部毎に配置されて、前記集光された入射光を導波して前記複数の光電変換部にそれぞれ入射させるとともに、前記オンチップレンズの偏移に基づいて互いに非相似の形状に構成される複数の導波路と、
前記画素に配置されて、前記複数の光電変換部における光電変換に基づく画像信号を生成する画素回路と、
前記複数の光電変換部の光電変換に基づく複数の画像信号に基づいて位相差を検出する処理回路と
を具備する撮像装置。
【発明の詳細な説明】
【技術分野】
【０００１】
本技術は、撮像素子および撮像装置に関する。詳しくは、像面位相差を検出する撮像素子および撮像装置に関する。
【背景技術】
【０００２】
従来、オートフォーカスを行うカメラに使用される撮像素子として、分割された２つの光電変換部を有する画素が２次元格子状に配置されて構成された撮像素子が使用されている。このような撮像素子では、各画素のそれぞれの光電変換部において光電変換が行われ、２つの画像信号が生成される。この撮像素子を使用するカメラにおいて、これら２つの画像信号により生成された画像の位相差を検出することにより焦点位置が検出される。次に、検出された焦点位置に基づいて撮影レンズの位置が調整され、オートフォーカスが行われる。このような、撮像素子に配置された画素によりオートフォーカスのための位相差を検出する方式は、像面位相差オートフォーカスと称される。なお、オートフォーカスの後の撮像の際には、画素の２つの光電変換部による画像信号が合算されて画像信号として出力される。これにより、被写体に応じた画像を得ることができる。【０００３】
また、撮像素子においては、撮像素子の中央部に配置される画素には、被写体からの光が撮影レンズを介して略垂直に入射する。一方、撮像素子の周辺部に配置される画素には、被写体からの光が斜めに入射する。このため光電変換部に到達する光が減少し、画素における感度が低下する。この周辺部に配置された画素における感度の低下を防止するため、瞳補正が行われる。ここで瞳補正とは、周辺部において斜めに入射する光に合わせて画素毎に配置されたマイクロレンズ（以下、オンチップレンズと称する）を画素の中心から偏心させて配置する補正方法である。また、オンチップレンズとは、画素に入射する光を光電変換部に集光させるために画素毎に配置されるレンズである。このオンチップレンズを偏心させて光電変換部の中心を通る入射光の光軸上に配置することにより、光電変換部への入射光を増加させることができ、感度の低下を防止することができる。【０００４】
上述の像面位相差を検出する撮像素子においても瞳補正を適用することにより、撮像素子周辺部に配置された画素の感度の低下を防止することができる。例えば、光電変換部が形成される半導体基板とオンチップレンズとの間に画像信号を伝達する配線層が形成される表面型の撮像素子において、２つの光電変換部毎の導波路が配線層に形成される撮像素子が使用されている（例えば、特許文献１参照。）。ここで、導波路とは、光を透過させるコアおよびコアを囲むクラッドにより構成され、オンチップレンズを介して入射した光を光電変換部に導波するものである。【０００５】
この撮像素子においては、第１の導波路および第２の導波路の２つの導波路が隣接して配置される。第１の導波路は画素の中心軸に対するオンチップレンズの偏心方向とは異なる方向に開口部が配置され、第２の導波路はオンチップレンズの偏心方向と同じ方向に開口部が配置される。オンチップレンズの中心を通る光が第１および第２の導波路の境界部に照射する位置にオンチップレンズを配置することにより、周辺部に配置される画素において位相差の検出が可能となる。【０００６】
しかし、オンチップレンズを透過した光が第１および第２の導波路に入射する際の入射角度が異なるため、第１および第２の導波路に対する光の結合効率が異なることとなる。これは、第１の導波路はオンチップレンズの偏心の方向と異なる方向に開口部が配置されるため、第１の導波路の開口部への光の入射角度がオンチップレンズの偏心の方向と同じ方向に開口部が配置される第２の導波路と比較して大きくなるためである。入射角度が大きい場合には導波路の高次の導波モードと結合することとなり、有限の次数を有する導波路における結合係数が小さくなるためである。このため、第１の導波路により入射光を伝達される光電変換部の感度が第２の導波路により入射光が伝達される光電変換部の感度より低くなる。【０００７】
この感度の低下を防ぐため、上述の従来技術では、第１の導波路は第２の導波路よりもコアとクラッドの屈折率差を大きくしている。または、第１の導波路は第２の導波路よりコアの断面積を大きしている。これらのうちの少なくとも一方を適用することにより導波路の結合効率の低下を防止し、第１および第２の導波路により入射光が伝達される光電変換部の感度を略等しくして位相差の検出精度の低下を防止している。
【先行技術文献】
【特許文献】
【０００８】
【特許文献１】特開２０１５−１５２７３８号公報
【発明の概要】
【発明が解決しようとする課題】
【０００９】
上述の従来技術は、第１および第２の導波路の屈折率差またはコアの断面積を光の入射角度に応じて変更している。しかし、第１および第２の導波路の屈折率差を変更するためには、これらの導波路において異なる材料によりクラッドまたはコアを形成する必要がある。また、第１および第２の導波路の断面積を変更する際には、オンチップレンズの中心を通る光を第１および第２の導波路の境界に照射させるとともにこれらの断面積を入射角度に応じて変更する必要がある。何れの場合においても導波路の形成が困難になるという問題がある。【００１０】
本技術は、上述した問題点に鑑みてなされたものであり、像面位相差を検出する撮像素子において画素の構成を簡略化することを目的としている。
【課題を解決するための手段】
【００１１】
本技術は、上述の問題点を解消するためになされたものであり、その第１の側面は、入射光を画素に集光し、上記入射光の入射角度に応じて上記画素の中心から偏移して上記画素毎に配置されるオンチップレンズと、上記画素に配置されて、入射光に応じて光電変換を行う複数の光電変換部と、上記画素における上記複数の光電変換部毎に配置されて、上記集光された入射光を導波して上記複数の光電変換部にそれぞれ入射させるとともに、上記オンチップレンズの偏移に基づいて互いに非相似の形状に構成される複数の導波路とを具備する撮像素子である。これにより、画素の中心から偏移して配置されたオンチップレンズを介して入射される光は、互いに非相似の形状に構成された複数の導波路により、複数の光電変換部に対してそれぞれ導波されるという作用をもたらす。非相似の形状に構成された導波路による導波損失の調整が想定され、オンチップレンズが偏移して配置された場合における複数の光電変換部の感度の補正が想定される。【００１２】
また、この第１の側面において、上記複数の導波路は、光路となるコアと当該コアを内包するクラッドによりそれぞれ構成され、上記導波路における上記入射光の入り口から出口までの上記クラッドの内面の傾斜が互いに異なることにより非相似の形状に構成されてもよい。これにより、互いに異なる内面の傾斜を有するクラッドを備える導波路により、入射光が導波されるという作用をもたらす。互いに異なるクラッドの内面の傾斜により導波における損失の調整が想定される。【００１３】
また、この第１の側面において、上記複数の導波路は、上記オンチップレンズの偏移に応じて上記クラッドの内面の傾斜を変更してもよい。これにより、オンチップレンズの偏移に応じて傾斜が変更されたクラッドを有する導波路により入射光が導波されるという作用をもたらす。オンチップレンズの偏移に応じた導波における損失の調整が想定される。【００１４】
また、この第１の側面において、上記複数の導波路は、上記クラッドが異なる傾斜により形成された複数の内面により構成されてもよい。これにより、異なる傾斜を有するクラッドを備える導波路により入射光が導波されるという作用をもたらす。異なる傾斜を有するクラッドによる導波における損失の調整が想定される。【００１５】
また、この第１の側面において、上記画素に配置されて、上記複数の光電変換部における光電変換に基づく画像信号を生成する画素回路と、上記光電変換部が形成される半導体基板の面のうち上記集光された入射光が入射される面とは異なる面に配置されて上記画像信号を伝達する配線層とをさらに具備してもよい。これにより、半導体基板における配線層が形成される面とは異なる面に導波路が形成されるという作用をもたらす。配線層に干渉されない導波路の形成が想定される。【００１６】
また、この第１の側面において、上記画素は、それぞれ２つの光電変換部および導波路を具備してもよい。これにより、２つの光電変換部に対して入射光をそれぞれ導波する２つの導波路が配置されるという作用をもたらす。【００１７】
また、この第１の側面において、上記画素が２次元格子状に配列され、上記オンチップレンズは、上記配列された画素毎の上記入射光の入射角度に応じて上記画素の中心から偏移して配置されてもよい。これにより、入射光の入射角度に応じてオンチップレンズが画素に対して偏移されて配置され、当該オンチップレンズにより光が集光される複数の画素が２次元格子状に配列されるという作用をもたらす。【００１８】
また、この第１の側面において、被写体からの光を自身の撮像素子に入射させるレンズ毎の上記入射角度に応じて上記画素の中心からそれぞれ偏移して配置された複数の上記オンチップレンズと、上記複数のオンチップレンズにおけるそれぞれの偏移に基づいて互いに非相似の形状に構成される上記複数の導波路が配置される複数の上記画素とを具備してもよい。これにより、レンズ毎の入射角度に応じて互いに非相似の形状に構成される複数の導波路をそれぞれ備える複数の画素が配置されるという作用をもたらす。入射角度が異なる複数のレンズに応じた画素毎の導波における損失の調整が想定される。【００１９】
また、本技術の第２の側面は、入射光を画素に集光し、上記入射光の入射角度に応じて上記画素の中心から偏移して上記画素毎に配置されるオンチップレンズと、上記画素に配置されて、入射光に応じて光電変換を行う複数の光電変換部と、上記画素における上記複数の光電変換部毎に配置されて、上記集光された入射光を導波して上記複数の光電変換部にそれぞれ入射させるとともに、上記オンチップレンズの偏移に基づいて互いに非相似の形状に構成される複数の導波路と、上記画素に配置されて、上記複数の光電変換部における光電変換に基づく画像信号を生成する画素回路と、上記複数の光電変換部の光電変換に基づく複数の画像信号に基づいて位相差を検出する処理回路とを具備する撮像装置である。これにより、画素の中心から偏移して配置されたオンチップレンズを介して入射される光は、互いに非相似の形状に構成された複数の導波路により、複数の光電変換部に対してそれぞれ導波されるという作用をもたらす。非相似の形状に構成された導波路による導波損失の調整が想定され、オンチップレンズが偏移して配置された場合における複数の光電変換部の感度の補正が想定される。また、感度が補正された複数の光電変換部において生成された画像信号による位相差の検出がさらに想定される。
【発明の効果】
【００２０】
本技術によれば、像面位相差を検出する撮像素子において、複数の光電変換部にそれぞれ入射光を導波する導波路を互いに非相似の形状に構成することにより、オンチップレンズが偏移して配置された位相差画素の形成を簡略化するという優れた効果を奏する。
【図面の簡単な説明】
【００２１】
【図１】本技術の第１の実施の形態に係る撮像素子の構成例を示す図である。
【図２】本技術の第１の実施の形態に係る画素の構成例を示す図である。
【図３】本技術の第１の実施の形態に係る画素の構成例を示す図である。
【図４】本技術の第１の実施の形態に係る導波路の構成例を示す図である。
【図５】本技術の第１の実施の形態に係る画素における光電変換部の特性の一例を示す図である。
【図６】本技術の第１の実施の形態に係る画素における撮像素子の製造方法の一例を示す図である。
【図７】本技術の第１の実施の形態に係る画素における撮像素子の製造方法の一例を示す図である。
【図８】本技術の第２の実施の形態に係る画素の構成例を示す図である。
【図９】本技術の第３の実施の形態に係る画素の構成例を示す図である。
【図１０】本技術の実施の形態の変形例に係る導波路の構成例を示す図である。
【図１１】本技術が適用され得る撮像装置の一例であるカメラの概略的な構成例を示すブロック図である。
【発明を実施するための形態】
【００２２】
次に、図面を参照して、本技術を実施するための形態（以下、実施の形態と称する）を説明する。以下の図面において、同一または類似の部分には同一または類似の符号を付している。ただし、図面は、模式的なものであり、各部の寸法の比率等は現実のものとは必ずしも一致しない。また、図面相互間においても互いの寸法の関係や比率が異なる部分が含まれることは勿論である。また、以下の順序で実施の形態の説明を行う。
１．第１の実施の形態
２．第２の実施の形態
３．第３の実施の形態
４．変形例
５．カメラへの応用例
【００２３】
＜１．第１の実施の形態＞
［撮像素子の構成］
図１は、本技術の第１の実施の形態に係る撮像素子の構成例を示す図である。同図の撮像素子９は、画素アレイ部１と、垂直駆動部２と、カラム信号処理部３と、制御部４とを備える。
【００２４】
画素アレイ部１は、画素１００が２次元格子状に配置されて構成されたものである。ここで、画素１００は、照射された光に応じた画像信号を生成するものである。後述するように、画素１００は、照射された光に応じた電荷を生成する光電変換部を有する。また画素１００は、画素回路をさらに有する。この画素回路は、光電変換部により生成された電荷に基づく画像信号を生成する。画像信号の生成は、後述する垂直駆動部２により生成された制御信号により制御される。画素アレイ部１には、信号線９１および９２がＸＹマトリクス状に配置される。信号線９１は、画素１００における画素回路の制御信号を伝達する信号線であり、画素アレイ部１の行毎に配置され、各行に配置される画素１００に対して共通に配線される。信号線９２は、画素１００の画素回路により生成された画像信号を伝達する信号線であり、画素アレイ部１の列毎に配置され、各列に配置される画素１００に対して共通に配線される。これら光電変換部および画素回路は、半導体基板に形成される。
【００２５】
同図において画素１００ａは画素アレイ部１の中央部に配置される画素１００を表し、画素１００ｂは画素アレイ部１の周辺部に配置される画素１００を表す。これら画素１００ａおよび１００ｂは、画素アレイ部１の略中央部に位置する行に配置され、２つの光電変換部を有する。同図における画素１００ａおよび１００ｂにおいて破線により記載された矩形は光電変換部を表す。このような２つの光電変換部を有する画素は、位相差画素として使用される。
【００２６】
ここで位相差画素とは、撮像素子９の画素アレイ部１に被写体からの光を集光する撮影レンズの異なる領域を通過した光による画像のずれを位相差として検出するための画素であり、オートフォーカスに利用される画素である。画素１００ａおよび１００ｂが配置される行にはこのような位相差画素が複数配置され、配置される行の方向に２つの光電変換部が並べて配置される。これは、位相差画素の配置の方向と同じ方向に光電変換部が分割されて２つの画素が形成されたものと捉えることができる。この分割された画素の左側の画素および右側の画素をそれぞれＡ画素およびＢ画素と称する。これらＡ画素およびＢ画素には、それぞれ撮影レンズの右側および左側を通った光が入射する。画素１００ａおよび１００ｂが配置される行の複数のＡ画素により生成された画像信号に基づく画像と複数のＢ画素により生成された画像信号に基づく画像との位相差を検出することにより、被写体に対する撮影レンズの焦点位置を検出することができる。検出した焦点位置に基づいて撮影レンズの位置を調整することにより、オートフォーカスを行うことが可能となる。
【００２７】
このように、撮像素子９には撮影レンズを介して被写体からの光が入射され、画素アレイ部１の中央部に配置された画素１００ａには光が垂直に入射する。一方、画素アレイ部１の周辺部に配置された画素１００ｂには、光が斜めに入射する。具体的には、同図において画素アレイ部１の右端に配置された画素１００ｂには画素アレイ部１の鉛直方向に対して左斜め上方から光が入射する。そこで、これを補正するため、前述した瞳補正が行われる。画素１００ａおよび１００ｂの構成の詳細については後述する。
【００２８】
垂直駆動部２は、画素１００の画素回路の制御信号を生成するものである。この垂直駆動部２は、生成した制御信号を同図の信号線９１を介して画素１００に伝達する。カラム信号処理部３は、画素１００により生成された画像信号を処理するものである。このカラム信号処理部３は、同図の信号線９２を介して画素１００から伝達された画像信号の処理を行う。カラム信号処理部３における処理には、例えば、画素１００において生成されたアナログの画像信号をデジタルの画像信号に変換するアナログデジタル変換が該当する。制御部４は、撮像素子９の全体を制御するものである。この制御部４は、垂直駆動部２およびカラム信号処理部３を制御する制御信号を生成して出力することにより、撮像素子９の制御を行う。制御部４により生成された制御信号は、信号線９３および９４により垂直駆動部２およびカラム信号処理部３に対してそれぞれ伝達される。
【００２９】
［画素の構成］
図２は、本技術の第１の実施の形態に係る画素の構成例を示す図である。同図は、画素１００の構成を表す回路図である。同図の画素１００は、光電変換部１０１および１０２と、電荷保持部１０３と、ＭＯＳトランジスタ１０４乃至１０８とを備える。また、同図の信号線９１は、信号線ＴＲ１、信号線ＴＲ２、信号線ＲＳＴおよび信号線ＳＥＬにより構成される。また、画素１００には、電源線Ｖｄｄにより電源が供給される。なお、同図の画素１００において、電荷保持部１０３およびＭＯＳトランジスタ１０４乃至１０８により構成される回路は、前述の画素回路を構成する。
【００３０】
光電変換部１０１のアノードは接地され、カソードはＭＯＳトランジスタ１０４のソースに接続される。光電変換部１０２のアノードは接地され、カソードはＭＯＳトランジスタ１０５のソースに接続される。ＭＯＳトランジスタ１０４および１０５のゲートは、それぞれ信号線ＴＲ１およびＴＲ２に接続される。ＭＯＳトランジスタ１０４のドレインは、ＭＯＳトランジスタ１０５のドレイン、ＭＯＳトランジスタ１０６のソース、ＭＯＳトランジスタ１０７のゲートおよび電荷保持部１０３の一端に接続される。電荷保持部１０３の他の一端は、接地される。ＭＯＳトランジスタ１０６のゲートは信号線ＲＳＴに接続され、ドレインは電源線Ｖｄｄに接続される。ＭＯＳトランジスタ１０７のドレインは電源線Ｖｄｄに接続され、ソースはＭＯＳトランジスタ１０８のドレインに接続される。ＭＯＳトランジスタ１０８のゲートは信号線ＳＥＬに接続され、ソースは信号線９２に接続される。
【００３１】
光電変換部１０１および１０２は、画素１００の入射光に応じて光電変換を行うものである。この光電変換部１０１および１０２には、フォトダイオードを使用することができる。光電変換により生成された電荷は、光電変換部１０１および１０２にそれぞれ保持される。なお、光電変換部１０１および１０２は、前述したＡ画素およびＢ画素の光電変換部にそれぞれ対応させることができる。
【００３２】
ＭＯＳトランジスタ１０４および１０５は、光電変換部１０１および１０２の光電変換により生成されて保持されていた電荷を電荷保持部１０３に転送するＭＯＳトランジスタである。ＭＯＳトランジスタ１０４は光電変換部１０１の電荷を転送し、ＭＯＳトランジスタ１０５は光電変換部１０２の電荷を転送する。これらＭＯＳトランジスタ１０４および１０５は、それぞれ信号線ＴＲ１およびＴＲ２により伝達される制御信号により制御される。
【００３３】
電荷保持部１０３は、光電変換部１０１および１０２により生成され、ＭＯＳトランジスタ１０４および１０５により転送された電荷を保持するものである。この電荷保持部１０３には、半導体基板の拡散層に形成されたフローティングディフュージョン領域を使用することができる。
【００３４】
ＭＯＳトランジスタ１０６は、電荷保持部１０３をリセットするためのＭＯＳトランジスタである。このＭＯＳトランジスタ１０６は、信号線ＲＳＴにより伝達される制御信号により制御され、電荷保持部１０３と電源線Ｖｄｄとの間を導通させて、電荷保持部１０３に転送された電荷を電源線Ｖｄｄに排出させる。これにより、電荷保持部１０３のリセットが行われる。このリセットの後に、ＭＯＳトランジスタ１０４および１０５による電荷の転送が行われる。
【００３５】
ＭＯＳトランジスタ１０７は、電荷保持部１０３に転送された電荷に基づく画像信号を生成するＭＯＳトランジスタである。このＭＯＳトランジスタ１０７は、ゲートが電荷保持部１０３の接地されていない側の端子に接続されており、電荷保持部１０３に転送されて保持された電荷に応じた電圧がソースに出力される。ＭＯＳトランジスタ１０８は、ＭＯＳトランジスタ１０７により生成された画像信号を画素１００の外部に対して出力するＭＯＳトランジスタである。このＭＯＳトランジスタ１０８は、信号線ＳＥＬにより伝達される制御信号により制御され、ＭＯＳトランジスタ１０７のソースと信号線９２との間を導通させることにより、画像信号の出力を行う。
【００３６】
撮像素子９においてオートフォーカスを行う際には、光電変換部１０１の光電変換に基づく画像信号の生成と光電変換部１０２の光電変換に基づく画像信号の生成とが交互に行われる。具体的には、所定の露光期間の経過後にリセットが行われ、光電変換部１０１により生成されて保持された電荷がＭＯＳトランジスタ１０４により電荷保持部１０３に転送される。その後、ＭＯＳトランジスタ１０７により画像信号が生成され、Ａ画素の画像信号としてＭＯＳトランジスタ１０８を介して画素１００から出力される。同様に、光電変換部１０２により生成された電荷がＭＯＳトランジスタ１０５により転送されて画像信号が生成され、Ｂ画素の画像信号として画素１００から出力される。これらの画像信号の生成および出力が交互に行われ、出力された画像信号（Ａ画素およびＢ画素の画像信号）に基づいてオートフォーカスが実行される。
【００３７】
なお、通常の撮像を行う際には、光電変換部１０１および１０２における光電変換に基づくそれぞれの画像信号が合算された画像信号が生成される。
【００３８】
［画素の断面構成］
図３は、本技術の第１の実施の形態に係る画素の構成例を示す図である。同図は、画素１００の構成を表す模式断面図であり、図１において説明した画素１００ａおよび１００ｂの構成を表す図である。
【００３９】
画素１００ａは、オンチップレンズ１９１と、カラーフィルタ１９２と、平坦化膜１９３と、導波路１１０および１２０と、半導体基板１８１と、配線層１８５および絶縁層１８４とを備える。また、画素１００ｂは、導波路１１０の代わりに導波路１３０を備える。画素アレイ部１の中央部に配置された画素１００ａと周辺部に配置された画素１００ｂとは、導波路の形状と画素１００に対するオンチップレンズ１９１の位置以外は同一の構成にすることができる。これら画素１００ａおよび１００ｂにより、画素アレイ部１が構成される。
【００４０】
半導体基板１８１は、図２において説明した画素１００の光電変換部や画素回路の半導体部分が形成される半導体の基板である。同図においては、これらのうち、光電変換部１０１および１０２を記載している。同図の半導体基板１８１は、便宜上、Ｐ型のウェル領域に構成されるものと想定する。光電変換部１０１は、Ｎ型半導体領域１８２と当該Ｎ型半導体領域１８２の周囲のＰ型のウェル領域とにより構成される。Ｎ型半導体領域１８２およびＰ型のウェル領域の界面に形成されるＰＮ接合において入射光に応じた光電変換が行われ、この光電変換により生成された電荷がＮ型半導体領域１８２に保持される。同様に、光電変換部１０２は、Ｎ型半導体領域１８３と周囲のＰ型ウェル領域とにより構成される。これら光電変換部１０１および１０２の光電変換により生成された電荷に基づいて、不図示の画素回路により画像信号が生成される。
【００４１】
配線層１８５は、画素１００において生成された画像信号や画素回路を制御する制御信号を伝達する配線である。この配線層１８５は、図１において説明した信号線９１および９２を構成する。また、配線層１８５は、絶縁層１８４により相互に絶縁される。なお、同図の画素アレイ部１を備える撮像素子９は、配線層１８５が半導体基板１８１における光が入射される面とは異なる面に配置される裏面照射型の撮像素子である。
【００４２】
オンチップレンズ１９１は、入射光を光電変換部１０１および１０２に集光するレンズである。また、オンチップレンズ１９１は、光の入射角度に応じて画素１００の中心から偏移して画素１００毎に配置される。オンチップレンズ１９１の配置の詳細については後述する。
【００４３】
オンチップレンズ１９１の下層には、カラーフィルタ１９２および平坦化膜１９３が配置される。カラーフィルタ１９２は、光学的なフィルタであり、オンチップレンズ１９１を透過した光のうち、所定の波長の光、例えば、赤色光を透過させるフィルタである。平坦化膜１９３は、カラーフィルタ１９２と後述する導波路１１０等との間に配置され、カラーフィルタ１９２が形成される面を平坦化する膜である。この平坦化膜１９３により、均一な膜厚のカラーフィルタ１９２を形成することができる。
【００４４】
導波路１１０および１２０は、オンチップレンズ１９１を介して入射された光を光電変換部１０１および１０２に導波するものである。導波路１１０は光電変換部１０１に入射光を導波し、導波路１２０は光電変換部１０２に入射光を導波する。これらの導波路は光路となるコアと当該コアを内包するクラッドによりそれぞれ構成される。具体的には、導波路１１０はコア１１５とクラッド１１１および１１２とにより構成され、導波路１２０はコア１２５とクラッド１２１および１２２とにより構成される。なお、クラッド１１１等は、コアと接するクラッドの内面に該当する。これら複数の面によりクラッドが構成される。また、クラッド１１１等は、クラッド材１９９における表面から半導体基板１８１に達する開口部の面に該当する。この開口部にコア材１９８が配置されて、コア１１５等が構成される。クラッドの構成の詳細については、後述する。
【００４５】
コア材１９８にはクラッド材１９９より高い屈折率の材料が採用され、コア１１５に入射した光はコア１１５およびクラッド１１１等の界面において全反射される。これにより、導波路１１０等の入射光は、導波路１１０等の入り口から出口に配置された光電変換部１０１等の表面まで導波されることとなる。コア１１５等には、光透過性を有する絶縁物、例えば、窒化シリコン（ＳｉＮ）を使用することができる。また、クラッド材１９９には、コア１１５等より屈折率が小さな絶縁物、例えば、酸化シリコン（ＳｉＯ２）を使用することができる。
【００４６】
前述のように、画素１００ａにおいては、導波路１１０および１２０が配置される。これらの導波路１１０および１２０は、導波路の入り口に対して出口が狭い形状に構成される。すなわち、クラッド１１１等の内面が所定の傾斜（テーパ）を有する形状に構成される。また、導波路１１０および１２０は、対称の形状に構成される。すなわち、クラッド１１１および１１２と１２１および１２２とは、対称の形状となる。このため、導波路１１０および１２０の入射光の導波における損失は略等しくなる。また、光電変換部１０１および１０２は略同等の形状に構成される。
【００４７】
同図の矢印は、画素１００ａおよび１００ｂに入射する光を表しており、画素アレイ部１の中央部に配置される画素１００ａには、略垂直に光が入射する。この垂直な入射光は、導波路１１０および１２０により分割され、光電変換部１０１および１０２にそれぞれ導波される。上述のように導波路１１０および１２０の損失は略等しいため、光電変換部１０１および１０２は入射光に対して略等しい感度を有する。以下、オンチップレンズ１９１の中心を通って画素１００に入射する光を主光線と称する。
【００４８】
一方、画素１００ｂでは、導波路１３０および１２０が配置される。導波路１３０は、コア１３５とクラッド１３１および１３２とにより構成される。このうち、クラッド１３２は、クラッド１１２と略同等の形状に構成される。一方、クラッド１３１は、クラッド１１１と比較して小さな傾斜角の傾斜に構成される。このため、導波路１３０は、導波路１１０および１２０と比較して入り口の面積に対する出口の面積の比率が低下する。出口が絞られることとなり、損失が増加する。このため、画素１００ｂにおいては、２つの導波路１３０および１２０損失が異なり、画素アレイ部１の中央に近い側に配置された導波路１３０の損失が大きくなる。この結果、画素１００ｂにおける光電変換部１０１の感度が光電変換部１０２の感度より低くなる。
【００４９】
同図に表したように、画素１００ｂでは、光が斜めに入射する。同図においては、画素１００ｂにおける光の入射角度として１５°を想定する。すなわち、垂直方向に対して図面左方向に１５°ずれた光が入射する。これを補償するために前述の瞳補正が行われ、オンチップレンズ１９１が画素１００ｂの中心を基準として画素アレイ部１の中央方向に偏移して配置される。すなわち、オンチップレンズ１９１および画素１００ｂの中心がそれぞれ異なる位置に配置されることとなる。この際、主光線が導波路１３０および１２０の境界に達する位置にオンチップレンズ１９１が配置される。すなわち、画素１００ｂにおける主光線は、導波路１３０および１２０の境界に配置されたクラッド材１９９の頂部に入射する。これにより、主光線より入射角度が小さい入射光は光電変換部１０１に導波され、主光線より入射角度が大きい入射光は、光電変換部１０２に導波される。後述するクロスポイントを主光線の入射角度に設定することができ、焦点のずれに応じた画像信号を取得することができる。なお、導波路１３０および１２０の境界に配置されたクラッド材１９９の断面は、略等しい傾斜の２辺を有する三角形の形状に構成される。
【００５０】
この際、導波路１３０は、導波路１２０と比較して入射光の導波路への入射角度が小さくなる。具体的には、導波路１３０は、比較的垂直に近い角度において光が入射する。このため、入射光および導波路の結合効率が高くなる。一方、導波路１２０は、オンチップレンズ１９１の端部に配置されるため、比較的大きな角度において光が入射する。このような場合、導波路の高次の導波モードと結合することとなり、入射光および導波路の結合効率が低くなる。
【００５１】
そこで、上述のように導波路１３０および１２０のクラッドの形状を変更し、導波路１３０および１２０の損失を調整することにより、導波路１３０および１２０における結合効率の差異を補償する。すなわち、結合効率が高い導波路１３０においては、導波路１２０と比較して小さな傾斜角に構成されたクラッド１３１を配置して、損失を大きくする。これにより、オンチップレンズ１９１から導波路１３０を通過して光電変換部１０１に至る光量を導波路１２０を通過して光電変換部１０２に至る光量に略等しくすることができる。このように、オンチップレンズ１９１の偏移に応じて導波路１３０および１２０においてクラッドの形状を非相似の形状に構成することにより、導波路１３０および１２０を通過する光量を調整することができる。画素１００ｂにおいて光電変換部１０１および１０２の感度を揃えることが可能となる。
【００５２】
前述のように、同図の撮像素子９は裏面照射型の構成にしている。配線層１８５および絶縁層１８４と導波路１１０等とが半導体基板１８１のそれぞれ異なる面に形成されるため、導波路１１０等の配置を容易に行うことができ、入射角度に応じた画素１００毎のクラッド１３１等の形状を容易に調整することができる。導波路１３０等のクラッドの内面の形状を変更することにより、位相差画素におけるＡ画素およびＢ画素の感度の調整が可能となる。また、半導体基板１８１における光電変換部１０１および１０２のＮ型半導体領域１８２および１８３は画素アレイ部１の全ての画素１００において共通の形状にすることができ、半導体基板１８１の拡散層の形成を簡略化することができる。
【００５３】
なお、撮像素子９は、表面照射型の撮像素子にすることもできる。具体的には、図３の撮像素子９においてクラッド材１９９を絶縁層１８４として使用し、導波路１１０等のクラッド材１９９の領域に配線層１８５を埋め込むことにより、表面照射型の撮像素子を構成することができる。この場合には、導波路１３０等のクラッドの内面の形状の変更を見越した、配線層１８５の配置にする必要がある。後述する第２の実施の形態において説明するように、画素１００における２つの導波路の境界に配置されたクラッド材１９９の形状を大幅に変更する際には、当該境界に配置されたクラッド材１９９には配線層１８５を配置しない等の処置が必要となる。
【００５４】
［導波路の構成］
図４は、本技術の第１の実施の形態に係る導波路の構成例を示す図である。同図は、画素１００における導波路の構成を表す上面図であり、クラッド材１９９の形状を表す上面図である。同図におけるａおよびｂは、それぞれ画素１００ａおよび１００ｂの導波路の構成を表す。同図において、点線はクラッド材１９９の稜線１９７を表す。この稜線１９７により構成された矩形は、導波路１１０等の入り口を表す。また、２点鎖線は、オンチップレンズ１９１を表す。なお、同図におけるａおよびｂのＡ−Ａ’線に沿った断面の構成が図３における画素１００ａおよび１００ｂの構成に該当する。
【００５５】
同図におけるａに記載した画素１００ａは、導波路１１０および１２０を備える。導波路１１０は、所定の傾斜に構成された４つの矩形（台形）形状の内面により構成されるクラッドを有する。すなわち、導波路１１０は、クラッド１１１乃至１１４を備える。導波路１１０の出口、すなわちクラッド１１１乃至１１４の底部には半導体基板１８１が配置される。クラッド１１１乃至１１４は、それぞれが略同じ傾斜に構成される。同様に導波路１２０は、クラッド１２１乃至１２４を備える。クラッド１１１乃至１１４は、それぞれが略同じ傾斜に構成される。
【００５６】
同図におけるｂに記載した画素１００ｂは、画素１００ａの導波路１１０の代わりに導波路１３０を備える。導波路１３０は、クラッド１３１乃至１３４を備える。クラッド１３２乃至１３４は、それぞれ同図におけるａのクラッド１１２乃至１１４と同じ傾斜に構成される。一方、クラッド１３１は、クラッド１３２乃至１３４より小さな傾斜角の傾斜に構成される。このため、導波路１３０の出口は、導波路１１０および１２０より狭くなる。前述のように、導波路の入り口の面積に対する出口の面積の比率が低下する。
【００５７】
［光電変換部の特性］
図５は、本技術の第１の実施の形態に係る画素における光電変換部の特性の一例を示す図である。同図は、画素１００に配置された２つの光電変換部における入射角度と感度との関係を表す図である。同図の横軸は画素１００における入射光の入射角度（単位：度）を表し、縦軸は感度を表す。ここで、感度とは、入射光量に対する画像信号の比率である。同図におけるａおよびｂは、それぞれ画素１００ａおよび１００ｂにおける入射角度と感度との関係を表している。
【００５８】
同図におけるａのグラフ２０１および２０２は、画素１００ａにおける光電変換部１０１および１０２の入射角度と感度との関係を表す。すなわち、グラフ２０１および２０２は、それぞれ画素１００ａの位置におけるＡ画素およびＢ画素の感度を表す。画素１００ａでは、導波路１１０および１２０が対称に形成される。このため、入射角度が０度の際にグラフ２０１および２０２が交差し、これらのグラフ２０１および２０２は対称な形状となる。画素１００ａでは、主光線が垂直（０°）に入射するため、撮影レンズにおける焦点位置がいわゆる前ピンまたは後ピンになった際の入射角度のずれをＡ画素およびＢ画素の画像信号の位相差により検出することができる。なお、グラフ２０１および２０２が交差点をクロスポイントと称する。
【００５９】
同図におけるｂでは、グラフ２０３および２０４が画素１００ｂにおける光電変換部１０１および１０２の入射角度と感度との関係を表す。同図におけるｂの画素１００ｂでは、主光線の入射角度が１５°となる。このため、１５°の入射角度の際にグラフ２０３および２０４が交差するように瞳補正が行われる。すなわち、図３において説明したようにオンチップレンズ１９１が画素１００ｂの中心から偏移して配置される。この際、導波路１３０および１２０のうち、オンチップレンズ１９１の偏移の方向に配置される導波路１３０のクラッドの形状を調整し、光電変換部１０１および１０２の入射角度と感度との関係を揃える。これにより、画素１００ｂにおける光電変換部１０１および１０２の入射角度と感度との関係を同図におけるｂに表したグラフ２０３および２０４のように調整することができる。すなわち、主光線の入射角度である１５°においてクロスポイントを形成し、対称の形状の入射角度と感度との関係にすることができる。これにより、画素アレイ部１の周辺部に配置された画素１００ｂにおいても、Ａ画素およびＢ画素の画像信号の差分により撮影レンズの焦点位置を検出することが可能となる。
【００６０】
なお、画素アレイ部１の周辺部に配置された画素１００ｂにおける主光線の入射角度（同図における１５°）は、標準的な射出瞳距離（ＥＰＤ：Exit Pupil Distance）の撮影レンズを想定したものである。すなわち、撮像素子９おいては、この標準的なＥＰＤの撮影レンズに合わせた瞳補正を採用している。
【００６１】
［導波路の製造方法］
図６および７は、本技術の第１の実施の形態に係る画素における撮像素子の製造方法の一例を示す図である。図６および７は、撮像素子９の製造工程のうち導波路の製造工程を表した図である。画素アレイ部１の画素１００ｂにおける導波路１３０および１２０を例に挙げて、製造工程を説明する。
【００６２】
まず、絶縁層１８４等が形成された半導体基板１８１の裏面にクラッド材料３０１の膜を形成する。これは、例えば、ＣＶＤ（Chemical Vapor Deposition）により形成することができる（図６におけるａ）。次に、クラッド材料３０１の上にレジスト３０２を形成する（図６におけるｂ）。このレジスト３０２は、図３において説明したクラッド材１９９と同じ形状に構成される。すなわち、導波路１３０においては、クラッド１３１および１３２と同じ傾斜を有する形状のレジスト３０２を形成する。このような、傾斜は、例えば、感光性を有するレジストを塗布し、グレイスケールマスクを使用して露光し、現像することにより形成することができる。ここで、グレイスケールマスクとは、マスク上に濃淡グラデエーションを形成したマスクであり、傾斜に応じてグラデエーションの濃淡を連続的に変更して構成されたマスクである。このグラデエーションの濃淡に応じて露光量を変化させることができる。このため、現像後のレジストはグラデエーションの濃淡に応じた膜厚を有することとなり、所定の傾斜を有するレジスト３０２を形成することができる。
【００６３】
なお、瞳補正のため、画素１００における導波路のクラッドの形状（傾斜）は、画素アレイ部１の中央からの位置に応じて異なる。このため、画素アレイ部１の中央部の画素１００から周辺部方向に向かってグラデエーションの濃淡が異なるグレイスケールマスクを使用して順次露光を行うことができる。これにより、画素アレイ部１の画素位置毎に異なる傾斜を有するレジストを形成することができる。
【００６４】
次に、レジスト３０２をマスクとしてドライエッチングを行う。このドライエッチングには、異方性エッチングを使用する。これにより、クラッド材料３０１がエッチングされ、クラッド１３１等を有するクラッド材１９９を形成することができる（図６におけるｃ）。次に、コア材料３０３の膜を形成する。これは、例えばＣＶＤにより形成することができる（図７におけるｄ）。次に、コア材料３０３の表面を研磨して平坦化する。これは、例えば、ドライエッチングや化学的機械的研磨（ＣＭＰ：Chemical mechanical polishing）により行うことができる。これにより、コア材１９８を形成することができ、導波路１３０等を形成することができる（図７におけるｅ）。その後、平坦化膜１９３、カラーフィルタ１９２およびオンチップレンズ１９１を順に形成することにより、撮像素子９を製造することができる。
【００６５】
以上説明したように、本技術の第１の実施の形態の撮像素子９は、複数の導波路のクラッドの形状を互いに非相似の形状に構成することにより、位相差画素における複数の光電変換部の感度を調整する。この際、瞳補正に伴うオンチップレンズ１９１の偏移位置の影響を受けることなく光電変換部の感度を調整することができ、導波路の形成を簡略化することができる。
【００６６】
＜２．第２の実施の形態＞
上述の第１の実施の形態の撮像素子９は、標準的なＥＰＤの撮影レンズを想定した位相差画素を使用していた。これに対し、本技術の第２の実施の形態の撮像素子９は、異なるＥＰＤの撮影レンズに対応した複数の位相差画素を備える点で、第１の実施の形態と異なる。
【００６７】
［画素の断面構成］
図８は、本技術の第２の実施の形態に係る画素の構成例を示す図である。同図は、図３において説明した位相差画素（１５°の入射角度を想定）とは異なる入射角度の主光線に対応する位相差画素の例を表した図である。同図におけるａおよびｂは、それぞれ１０°および２０°の入射角度を想定した画素１００ｂの構成例を表している。これらの画素１００ｂは、図３において説明した画素１００ｂとは別に画素アレイ部１に配置され、標準的なＥＰＤとは異なるＥＰＤの撮影レンズが使用された際に、位相差画素として使用される。なお、同図においては、絶縁層１８４および配線層１８５の記載を省略した。
【００６８】
同図におけるａの画素１００ｂは、図３において説明した画素１００ｂと比較して、導波路１３０および１２０の代わりに導波路１４０および１５０を備える。同図におけるａのオンチップレンズ１９１は、画素１００ｂの中心に対して画素アレイ部１の中央部の方向に偏移して配置される。具体的には、オンチップレンズ１９１は、１０°の入射角度の主光線が導波路１４０および１５０の境界に配置されたクラッド材１９９の頂部に入射する位置に配置され、瞳補正が行われる。導波路１４０はクラッド１４１および１４２を備え、導波路１５０はクラッド１５１および１５２を備える。
【００６９】
導波路１４０および１５０の境界に配置されたクラッド材１９９の断面は、オンチップレンズ１９１の偏移の方向に頂点が倒れた三角形の形状に構成される。すなわち、オンチップレンズ１９１の偏移の方向と同じ側の辺を構成するクラッド１４２と比較して、オンチップレンズ１９１の偏移の方向とは異なる側の辺を構成するクラッド１５１は小さな傾斜角に構成される。これに対し、導波路１４０のクラッド１４１は、傾斜角度が異なる２つの傾斜により構成される。導波路の途中においてクラッドの傾斜が変化する構成となるため、単一の傾斜により構成されたクラッドを有する導波路と比較して、導波路１４０の損失が増加することとなる。このように、導波路１４０は、クラッド１４２が垂直に近い傾斜角に構成され、クラッド１４１が段階的に傾斜角が変化するとともに導波路１４０の出口の近傍において比較的小さな傾斜角に構成される。これにより、導波路１５０に対する導波路１４０の損失が調整される。
【００７０】
同図におけるｂの画素１００ｂは、導波路１３０および１２０の代わりに導波路１６０および１７０を備える。同図におけるａと同様に、同図におけるｂのオンチップレンズ１９１は、２０゜の入射角度の主光線が導波路１６０および１７０の境界に配置されたクラッド材１９９の頂部に入射する位置に配置される。導波路１６０はクラッド１６１および１６２を備え、導波路１７０はクラッド１７１および１７２を備える。
【００７１】
導波路１６０および１７０の境界に配置されたクラッド材１９９の断面は、オンチップレンズ１９１の偏移の方向とは異なる方向に頂点が倒れた三角形の形状に構成される。同図におけるｂの主光線の入射角度は２０°であり、同図におけるａの画素１００ｂより大きな入射角度となる。このため、導波路１６０および１７０の境界に配置されたクラッド材１９９の断面をオンチップレンズ１９１の偏移の方向とは異なる方向に頂点が倒れた三角形の形状に構成する。主光線を導波路１６０および１７０の境界に入射させながら導波路１７０の出口の面積を同図におけるａの導波路１５０の出口と略同等の大きさにするためである。
【００７２】
また、クラッド１６２が比較的小さな傾斜角に構成されるため、クラッド１６１の傾斜角を大きくすることにより、導波路１７０に対する導波路１６０の損失を調整することができる。
【００７３】
このように、画素１００ｂに配置された２つの導波路の境界のクラッド材１９９の形状を対応する撮影レンズのＥＰＤに合わせて変更して瞳補正に対応させるとともにそれぞれの導波路における導波路の境界とは異なる側のクラッドの傾斜を変更する。これにより、導波路の損失を調整することができる。
【００７４】
なお、本技術の第２の実施の形態における撮像素子９の構成は、この例に限定されない。例えば、同図におけるａのクラッド１４１は、単一の傾斜により構成することもできる。
【００７５】
これ以外の撮像素子９の構成は本技術の第１の実施の形態において説明した撮像素子９の構成と同様であるため、説明を省略する。
【００７６】
以上説明したように、本技術の第２の実施の形態の撮像素子９は、複数の主光線の入射角度に対応した位相差画素をそれぞれ画素アレイ部１に配置する。これにより、ＥＰＤが異なる撮影レンズを使用する場合において、位相差画素による焦点位置の検出を行うことができる。
【００７７】
＜３．第３の実施の形態＞
上述の第１の実施の形態の撮像素子９は、画素１００に配置された２つの導波路の境界に配置されたクラッド材１９９として、頂点を有する三角形の断面のクラッド材１９９を使用していた。これに対し、本技術の第３の実施の形態の撮像素子９は、頂点形状が異なるクラッド材１９９を使用する。
【００７８】
［画素の断面構成］
図９は、本技術の第３の実施の形態に係る画素の構成例を示す図である。同図の画素１００ｂは、図３において説明した画素１００ｂと比較して、２つの導波路の境界に配置されたクラッド材１９９の頂部の形状が異なる。なお、同図の画素１００ｂは、オンチップレンズ１９１、カラーフィルタ１９２、平坦化膜１９３、絶縁層１８４および配線層１８５の記載を省略した。
【００７９】
同図におけるａでは、２つの導波路の境界に配置されたクラッド材１９９として平坦な頂部１９６を有するクラッド材１９９を使用する。また、同図におけるｂでは、２つの導波路の境界に配置されたクラッド材１９９として断面が円弧形状の頂部１９５を有するクラッド材１９９を使用する。これらの何れにおいても、鋭角に構成された頂部を有するクラッド材１９９と比較して、クラッド材１９９の形成を容易にすることができる。なお、瞳補正を行う際には、主光線がこれらのクラッド材１９９の頂部に入射する位置にオンチップレンズ１９１が偏移して配置される。
【００８０】
これ以外の撮像素子９の構成は本技術の第１の実施の形態において説明した撮像素子９の構成と同様であるため、説明を省略する。
【００８１】
以上説明したように、本技術の第３の実施の形態の撮像素子９は、平坦または断面が円弧形状の頂部を有するクラッド材１９９を使用するため、導波路の形成をさらに簡略化することができる。
【００８２】
＜４．変形例＞
上述の第１の実施の形態の撮像素子９は、画素アレイ部１の横方向に隣接して配置された２つの導波路を備えていた。これに対し、本技術の実施の形態の変形例では、導波路の配置を変更する。
【００８３】
［画素の断面構成］
図１０は、本技術の実施の形態の変形例に係る導波路の構成例を示す図である。同図は、図４において説明した導波路とは異なる配置に構成された導波路の構成例を示す図である。同図におけるａは、三角形の形状に構成された２つの導波路が斜め方向に隣接して配置された画素１００の例を表す。この場合、２つの導波路は、それぞれの底辺において隣接して配置される。また、同図におけるｂは、長方形の形状に構成された２つの導波路が縦方向に隣接して配置された画素１００の例を表す。この場合、２つの導波路は、それぞれの長辺において隣接して配置される。なお、これらの画素１００における光電変換部は、導波路と略同じ形状に構成され、導波路の出口に対応する位置に配置される。
【００８４】
同図におけるａの導波路を備える画素１００は、画素アレイ部１において斜め方向に複数配置され、焦点位置の検出に使用される。一方、同図におけるｂの導波路を備える画素１００は、画素アレイ部１において縦方向に複数配置され、焦点位置の検出に使用される。
【００８５】
前述のように、焦点位置の検出には、複数の位相差画素によるＡ画素およびＢ画素の画像信号による画像の位相差を検出する必要がある。この際、被写体によっては、図２において説明した画素１００ａおよび１００ｂのように横方向に配置された位相差画素では、Ａ画素およびＢ画素による画像の位相差の検出が困難となる場合がある。例えば、横方向の輝度の変化が少ない被写体の場合には、Ａ画素およびＢ画素によるそれぞれの画像が略同等の画像となり、位相差の検出が困難となる。そこで、画素アレイ部１において位相差画素を斜め方向や縦方向にも配置して位相差の検出をそれぞれ行う。これにより、複数の方向から被写体の位相差を検出することが可能となり、焦点位置の検出精度を向上させることができる。
【００８６】
また、同図におけるｃは４つの導波路を備える画素１００の例を表し、同図におけるｄは１６の導波路を備える画素１００の例を表す。なお、導波路の個数に関わらず、光電変換部は画素１００毎に２つ配置される。このような画素においては、導波路の形状を個別に変更して導波路の損失の調整を行うことができる。例えば、同図におけるｃの例では、画素アレイ部１における配置の位置に応じてクラッドの傾斜角を変更した導波路を配置することができる。すなわち、画素アレイ部１の中央部に配置された画素においては導波路のクラッドの傾斜の変更は行わず、周辺部に配置された画素においては全ての導波路のクラッドの傾斜を変更する。そして画素アレイ部１の中央部と周辺部との中間に配置された画素１００では、光電変換部毎の２つの導波路のうちの１つの導波路のクラッドの傾斜を変更する。このように画素アレイ部１における画素１００の位置に応じて導波路の損失の調整を行うことができる。
【００８７】
なお、本技術の実施の形態の変形例に係る撮像素子９の構成は、この例に限定されない。例えば、４以上の光電変換部を備える位相差画素が配置される構成にすることもできる。具体的には、同図におけるｃにおいて、４つの導波路毎に光電変換部を備える構成の位相差画素にすることもできる。
【００８８】
これ以外の撮像素子９の構成は本技術の第１の実施の形態において説明した撮像素子９の構成と同様であるため、説明を省略する。
【００８９】
＜５．カメラへの応用例＞
本技術は、様々な製品に応用することができる。例えば、本技術は、カメラ等の撮像装置に搭載される撮像素子として実現されてもよい。
【００９０】
図１１は、本技術が適用され得る撮像装置の一例であるカメラの概略的な構成例を示すブロック図である。同図のカメラ１０００は、レンズ１００１と、撮像素子１００２と、撮像制御部１００３と、レンズ駆動部１００４と、画像処理部１００５と、操作入力部１００６と、フレームメモリ１００７と、表示部１００８と、記録部１００９とを備える。
【００９１】
レンズ１００１は、カメラ１０００の撮影レンズである。このレンズ１００１は、被写体からの光を集光し、後述する撮像素子１００２に入射させて被写体を結像させる。
【００９２】
撮像素子１００２は、レンズ１００１により集光された被写体からの光を撮像する半導体素子である。この撮像素子１００２は、照射された光に応じたアナログの画像信号を生成し、デジタルの画像信号に変換して出力する。
【００９３】
撮像制御部１００３は、撮像素子１００２における撮像を制御するものである。この撮像制御部１００３は、制御信号を生成して撮像素子１００２に対して出力することにより、撮像素子１００２の制御を行う。また、撮像制御部１００３は、撮像素子１００２から出力された画像信号に基づいてカメラ１０００におけるオートフォーカスを行うことができる。ここでオートフォーカスとは、レンズ１００１の焦点位置を検出して、自動的に調整するシステムである。このオートフォーカスとして、撮像素子１００２に配置された位相差画素により像面位相差を検出して焦点位置を検出する方式（像面位相差オートフォーカス）を使用することができる。また、画像のコントラストが最も高くなる位置を焦点位置として検出する方式（コントラストオートフォーカス）を適用することもできる。撮像制御部１００３は、検出した焦点位置に基づいてレンズ駆動部１００４を介してレンズ１００１の位置を調整し、オートフォーカスを行う。なお、撮像制御部１００３は、例えば、ファームウェアを搭載したＤＳＰ（Digital Signal Processor）により構成することができる。
【００９４】
レンズ駆動部１００４は、撮像制御部１００３の制御に基づいて、レンズ１００１を駆動するものである。このレンズ駆動部１００４は、内蔵するモータを使用してレンズ１００１の位置を変更することによりレンズ１００１を駆動することができる。
【００９５】
画像処理部１００５は、撮像素子１００２により生成された画像信号を処理するものである。この処理には、例えば、画素毎の赤色、緑色および青色に対応する画像信号のうち不足する色の画像信号を生成するデモザイク、画像信号のノイズを除去するノイズリダクションおよび画像信号の符号化等が該当する。なお、画像処理部１００５は、例えば、ファームウェアを搭載したマイコンにより構成することができる。
【００９６】
操作入力部１００６は、カメラ１０００の使用者からの操作入力を受け付けるものである。この操作入力部１００６には、例えば、押しボタンやタッチパネルを使用することができる。操作入力部１００６により受け付けられた操作入力は、撮像制御部１００３や画像処理部１００５に伝達される。その後、操作入力に応じた処理、例えば、被写体の撮像等の処理が起動される。
【００９７】
フレームメモリ１００７は、１画面分の画像信号であるフレームを記憶するメモリである。このフレームメモリ１００７は、画像処理部１００５により制御され、画像処理の過程におけるフレームの保持を行う。
【００９８】
表示部１００８は、画像処理部１００５により処理された画像を表示するものである。この表示部１００８には、例えば、液晶パネルを使用することができる。
【００９９】
記録部１００９は、画像処理部１００５により処理された画像を記録するものである。この記録部１００９には、例えば、メモリカードやハードディスクを使用することができる。
【０１００】
以上、本発明が適用され得るカメラについて説明した。本技術は以上において説明した構成のうち、撮像素子１００２に適用され得る。具体的には、図１において説明した撮像素子９は、撮像素子１００２に適用することができる。撮像制御部１００３は、撮像素子９に配置された位相差画素により生成された画像信号に基づいて像面位相差を検出し、レンズ駆動部１００４を制御してレンズ１００１の位置を調整することにより、オートフォーカスを実行することができる。これにより、瞳補正が行われた位相差画素により生成された画像信号に基づく焦点位置の検出が可能となり、カメラ１０００において鮮明な画像を取得することができる。なお、撮像制御部１００３は、請求の範囲に記載の処理回路の一例である。カメラ１０００は、請求の範囲に記載の撮像装置の一例である。
【０１０１】
なお、ここでは、一例としてカメラについて説明したが、本発明に係る技術は、その他、例えば監視装置等に適用されてもよい。
【０１０２】
最後に、上述した各実施の形態の説明は本技術の一例であり、本技術は上述の実施の形態に限定されることはない。このため、上述した各実施の形態以外であっても、本技術に係る技術的思想を逸脱しない範囲であれば、設計等に応じて種々の変更が可能であることは勿論である。
【０１０３】
また、上述の実施の形態において説明した処理手順は、これら一連の手順を有する方法として捉えてもよく、また、これら一連の手順をコンピュータに実行させるためのプログラム乃至そのプログラムを記憶する記録媒体として捉えてもよい。この記録媒体として、例えば、ＣＤ（CompactDisc）、ＤＶＤ（DigitalVersatileDisc）およびメモリカード等を用いることができる。
【０１０４】
なお、本技術は以下のような構成もとることができる。
（１）入射光を画素に集光し、前記入射光の入射角度に応じて前記画素の中心から偏移して前記画素毎に配置されるオンチップレンズと、
前記画素に配置されて、入射光に応じて光電変換を行う複数の光電変換部と、
前記画素における前記複数の光電変換部毎に配置されて、前記集光された入射光を導波して前記複数の光電変換部にそれぞれ入射させるとともに、前記オンチップレンズの偏移に基づいて互いに非相似の形状に構成される複数の導波路と
を具備する撮像素子。
（２）前記複数の導波路は、光路となるコアと当該コアを内包するクラッドによりそれぞれ構成され、前記導波路における前記入射光の入り口から出口までの前記クラッドの内面の傾斜が互いに異なることにより非相似の形状に構成される前記（１）に記載の撮像素子。
（３）前記複数の導波路は、前記オンチップレンズの偏移に応じて前記クラッドの内面の傾斜を変更する前記（２）に記載の撮像素子。
（４）前記複数の導波路は、前記クラッドが異なる傾斜により形成された複数の内面により構成される前記（２）に記載の撮像素子。
（５）前記画素に配置されて、前記複数の光電変換部における光電変換に基づく画像信号を生成する画素回路と、
前記光電変換部が形成される半導体基板の面のうち前記集光された入射光が入射される面とは異なる面に配置されて前記画像信号を伝達する配線層と
をさらに具備する前記（１）から（４）のいずれかに記載の撮像素子。
（６）前記画素は、それぞれ２つの光電変換部および導波路を具備する前記（１）から（
５）のいずれかに記載の撮像素子。
（７）前記画素が２次元格子状に配列され、
前記オンチップレンズは、前記配列された画素毎の前記入射光の入射角度に応じて前記画素の中心から偏移して配置される
前記（１）から（６）のいずれかに記載の撮像素子。
（８）被写体からの光を自身の撮像素子に入射させるレンズ毎の前記入射角度に応じて前記画素の中心からそれぞれ偏移して配置された複数の前記オンチップレンズと、
前記複数のオンチップレンズにおけるそれぞれの偏移に基づいて互いに非相似の形状に構成される前記複数の導波路が配置される複数の前記画素と
を具備する前記（１）から（７）のいずれかに記載の撮像素子。
（９）入射光を画素に集光し、前記入射光の入射角度に応じて前記画素の中心から偏移して前記画素毎に配置されるオンチップレンズと、
前記画素に配置されて、入射光に応じて光電変換を行う複数の光電変換部と、
前記画素における前記複数の光電変換部毎に配置されて、前記集光された入射光を導波して前記複数の光電変換部にそれぞれ入射させるとともに、前記オンチップレンズの偏移に基づいて互いに非相似の形状に構成される複数の導波路と、
前記画素に配置されて、前記複数の光電変換部における光電変換に基づく画像信号を生成する画素回路と、
前記複数の光電変換部の光電変換に基づく複数の画像信号に基づいて位相差を検出する処理回路と
を具備する撮像装置。
【符号の説明】
【０１０５】
１  画素アレイ部
２  垂直駆動部
３  カラム信号処理部
４  制御部
９  撮像素子
１００、１００ａ、１００ｂ  画素
１０１、１０２  光電変換部
１１０、１２０、１３０、１４０、１５０、１６０、１７０  導波路
１１１〜１１４、１２１〜１２４、１３１〜１３４、１４１、１４２、１５１、１５２、１６１、１６２、１７１、１７２  クラッド
１１５、１２５、１３５  コア
１８１  半導体基板
１８４  絶縁層
１８５  配線層
１９１  オンチップレンズ
１９８  コア材
１９９  クラッド材
１０００  カメラ
１００１  レンズ
１００２  撮像素子
１００３  撮像制御部
１００４  レンズ駆動部
【図１】
2019039177.tif 000003
【図２】
2019039177.tif 000004
【図３】
2019039177.tif 000005
【図４】
2019039177.tif 000006
【図５】
2019039177.tif 000007
【図６】
2019039177.tif 000008
【図７】
2019039177.tif 000009
【図８】
2019039177.tif 000010
【図９】
2019039177.tif 000011
【図１０】
2019039177.tif 000012
【図１１】
2019039177.tif 000013
【国際調査報告】
2019039177.tif 000014
2019039177.tif 000015
2019039177.tif 000016